(57)【要約】【課題】パネル型テレビジョンにおいて、部品点数を少なくして取り付けの手間を減らすとともに、取りつけ上のミスを減らし、さらにコストダウンを図ることを目的とする。【解決手段】上下連絡架橋フレーム６０に左上開き出し部６３ａと右上開き出し部６３ｂと左下開き出し部６４ａと右下開き出し部６４ｂとを設け、各開き出し部の端部を折り曲げて左上ネジ止め部６５ａと右上ネジ止め部６５ｂと左下ネジ止め部６６ａと右下ネジ止め部６６ｂとを形成して、上下連絡架橋フレーム６０を直接ＰＤＰモジュール３０の背面にネジ止め出来るようにした。【選択図】図４
0003118275.tif 000002
【実用新案登録請求の範囲】
【請求項１】
映像を画面に表示するプラズマディスプレイパネルモジュールと、
音声を出力するスピーカと、
テレビ放送を受信して映像を上記プラズマディスプレイパネルモジュールに表示させるとともに音声を上記スピーカにて出力させる主基板と、
上記プラズマディスプレイパネルモジュールと上記スピーカと上記主基板とを収容し、略矩形状の窓部から上記プラズマディスプレイパネルモジュールの画面を前方に露出させる樹脂製のキャビネットとを備えるプラズマテレビジョンにおいて、
上記プラズマディスプレイパネルモジュールに上下左右側面から固定されて同プラズマディスプレイパネルモジュールを支持するとともに上記キャビネットの前面部が前面側から被せて取り付けられる四方枠フレームと、
金属板を幅方向にコ字型に屈曲させて形成されて左右に１つずつ所定の距離を置いて配置されるとともに上記プラズマディスプレイパネルモジュールの背面側において上端と下端とを上記四方枠フレームに固定され、かつ、壁掛けキットを取りつけるためのネジ穴が背面側に形成される上下連絡架橋フレームと、
上記上下連絡架橋フレーム上部の左右両側面において前面側の端部を内側に向かって上記プラズマディスプレイパネルモジュール背面と略平行となるよう折り曲げて形成されるとともに上記四方枠フレームに固定されるためのネジ穴が形成される上固定部と、
上記上下連絡架橋フレーム下部の左右両側面において前面側の端部を内側に向かって上記プラズマディスプレイパネルモジュール背面と略平行となるよう折り曲げて形成されるとともに上記四方枠フレームに固定されるためのネジ穴が形成される下固定部と、
上記上下連絡架橋フレームにおいて左側面を側面に対して略垂直に上方へ向かって切り起して形成される左上開き出し部と、
上記上下連絡架橋フレームにおいて右側面を側面に対して略垂直に上方へ向かって切り起して形成される右上開き出し部と、
上記上下連絡架橋フレームにおいて左側面を側面に対して略垂直に下方へ向かって切り起して形成される左下開き出し部と、
上記上下連絡架橋フレームにおいて右側面を側面に対して略垂直に下方へ向かって切り起して形成される右下開き出し部と、
上記左上開き出し部において前面側の端部を下方に向かって上記プラズマディスプレイパネルモジュール背面と略平行となるよう折り曲げて形成されるとともにネジ穴が形成される左上ネジ止め部と、
上記右上開き出し部において前面側の端部を下方に向かって上記プラズマディスプレイパネルモジュール背面と略平行となるよう折り曲げて形成されるとともにネジ穴が形成される右上ネジ止め部と、
上記左下開き出し部において前面側の端部を上方に向かって上記プラズマディスプレイパネルモジュール背面と略平行となるよう折り曲げて形成されるとともにネジ穴が形成される左下ネジ止め部と、
上記右下開き出し部において前面側の端部を上方に向かって上記プラズマディスプレイパネルモジュール背面と略平行となるよう折り曲げて形成されるとともにネジ穴が形成される右下ネジ止め部と、
左上ネジ止め部と右上ネジ止め部と左下ネジ止め部と右下ネジ止め部との下端辺において上記プラズマディスプレイパネルモジュール背面に向けて略垂直に突出して、上記上下連絡架橋フレームの位置決め、および上記上下連絡架橋フレームと上記プラズマディスプレイパネルモジュールとの間に挿入されるスペーサを保持する突起と、
上記左上ネジ止め部および上記左下ネジ止め部、と、上記右上ネジ止め部および上記右下ネジ止め部、のいずれか一方の一組に形成される複数のネジ穴と、他方の一組に形成される左右方向に長い長ネジ穴と
を備えることを特徴とするプラズマテレビジョン。
【請求項２】
プラズマディスプレイパネルと、
上記プラズマディスプレイパネルの上下左右側面から固定されて同プラズマディスプレイパネルを支持する四方枠フレームと、
金属板を幅方向にコ字型に屈曲させて形成されるとともに上記プラズマディスプレイパネルの背面側において上端と下端とを上記四方枠フレームに固定される上下連絡架橋フレームと、
上記上下連絡架橋フレーム上部の左右両側面において前面側の端部を内側に向かって上記プラズマディスプレイパネル背面と略平行となるよう折り曲げて形成されるとともに上記四方枠フレームに固定されるためのネジ穴が形成される上固定部と、
上記上下連絡架橋フレーム下部の左右両側面において前面側の端部を内側に向かって上記プラズマディスプレイパネル背面と略平行となるよう折り曲げて形成されるとともに上記四方枠フレームに固定されるためのネジ穴が形成される下固定部と、
上記上下連絡架橋フレームにおいて左側面を側面に対して略垂直に上方へ向かって切り起して形成される左上開き出し部と、
上記上下連絡架橋フレームにおいて右側面を側面に対して略垂直に上方へ向かって切り起して形成される右上開き出し部と、
上記上下連絡架橋フレームにおいて左側面を側面に対して略垂直に下方へ向かって切り起して形成される左下開き出し部と、
上記上下連絡架橋フレームにおいて右側面を側面に対して略垂直に下方へ向かって切り起して形成される右下開き出し部と、
上記左上開き出し部において前面側の端部を下方に向かって上記プラズマディスプレイパネル背面と略平行となるよう折り曲げて形成されるとともにネジ穴が形成される左上ネジ止め部と、
上記右上開き出し部において前面側の端部を下方に向かって上記プラズマディスプレイパネル背面と略平行となるよう折り曲げて形成されるとともにネジ穴が形成される右上ネジ止め部と、
上記左下開き出し部において前面側の端部を上方に向かって上記プラズマディスプレイパネル背面と略平行となるよう折り曲げて形成されるとともにネジ穴が形成される左下ネジ止め部と、
上記右下開き出し部において前面側の端部を上方に向かって上記プラズマディスプレイパネル背面と略平行となるよう折り曲げて形成されるとともにネジ穴が形成される右下ネジ止め部と、
を備えることを特徴とするパネル型テレビジョン。
【請求項３】
上記左上ネジ止め部および上記左下ネジ止め部、と、上記右上ネジ止め部および上記右下ネジ止め部、
のいずれか一方の一組に形成される複数のネジ穴と、
他方の一組に形成される左右方向に長い長ネジ穴と
を備えることを特徴とする上記請求項２に記載のパネル型テレビジョン。
【考案の詳細な説明】
【技術分野】
【０００１】
本考案はプラズマテレビジョンおよびパネル型テレビジョンに関する。
【背景技術】
【０００２】
従来においては、図６のように、プラズマディスプレイパネル（ＰＤＰ）モジュールの背面に、左右方向に所定の間隔をおいて上下に２つずつスペーサを配置し、上下方向に配向させた上下連絡架橋フレームを左右方向に所定の間隔置いてスペーサ上に配置しネジ止めされていた。上下連絡架橋フレームの上端と下端とは、プＰＤＰモジュールの上下左右側面に取り付けられる四方枠フレーム（不図示）にネジ止めされる。
【０００３】
特許文献１には、ノートパソコン等の情報処理装置の表示パネルを実装する表示パネル筐体において、収納ケース内に、表示パネルを装着させ、表示パネルの背面と収納ケースの内側面間に第１スペーサを設け、表示パネル筐体の開時に表示パネルを下方に固定させる第２スペーサを収納ケースの下部内側面と表示パネルの下部外側面間に設け、表示パネルの少なくとも２個所を押さえる部材を収納ケースに固定させることで、形状、厚さ、表示パネルサイズ等の何れかが異なる表示パネルを共通の表示パネル筐体に変更させて実装させる実装方法及びその表示パネル筐体について開示されている。
【０００４】
また、１台のスタンドで異なったサイズのＰＤＰに適用可能なＰＤＰ用スタンド（特許文献２）や、プラズマディスプレイ装置において同じ役割を果たす回路基板や接続素子をインチサイズが変わっても共用化しやすい構造（特許文献３）について開示されている。
【特許文献１】特開２００１−３０５９８２号
【特許文献２】特開２００４−１１８０８５号
【特許文献３】特開２００３−１７３１５０号
【考案の開示】
【考案が解決しようとする課題】
【０００５】
従来においては、図６のように、上下連絡架橋フレームが左右２本と、スペーサが４つの計６つの部材が必要であった。これら６つの部材を取り付けるには、４つのスペーサをＰＤＰモジュールの背面に配置してネジ止めし、その上から２本の上下架橋フレームを配置してネジ止めするため非常に手間がかかっていた。また、スペーサには複数のパネルメーカのＰＤＰに対応する為に複数のネジ穴が設けられており、組立作業における作業効率の低下の原因となったり、ミスの原因となったりしていた。さらに、スペーサが比較的高価なナイロン樹脂製であったため、コストダウンが難しかった。
【０００６】
本考案ではパネル型テレビジョンやプラズマテレビジョンにおいて、部品点数を少なくして取り付けの手間を減らすとともに、取りつけ上のミスを減らし、さらにコストダウンを図ることを目的とする。
【課題を解決するための手段】
【０００７】
上記課題を解決するために、本考案では、映像を画面に表示するプラズマディスプレイパネルモジュールと、音声を出力するスピーカと、テレビ放送を受信して映像を上記プラズマディスプレイパネルモジュールに表示させるとともに音声を上記スピーカにて出力させる主基板と、上記プラズマディスプレイパネルモジュールと上記スピーカと上記主基板とを収容し、略矩形状の窓部から上記プラズマディスプレイパネルモジュールの画面を前方に露出させる樹脂製のキャビネットとを備えるプラズマテレビジョンにおいて、上記プラズマディスプレイパネルモジュールに上下左右側面から固定されて同プラズマディスプレイパネルモジュールを支持するとともに上記キャビネットの前面部が前面側から被せて取り付けられる四方枠フレームと、金属板を幅方向にコ字型に屈曲させて形成されて左右に１つずつ所定の距離を置いて配置されるとともに上記プラズマディスプレイパネルモジュールの背面側において上端と下端とを上記四方枠フレームに固定され、かつ、壁掛けキットを取りつけるためのネジ穴が背面側に形成される上下連絡架橋フレームと、上記上下連絡架橋フレーム上部の左右両側面において前面側の端部を内側に向かって上記プラズマディスプレイパネルモジュール背面と略平行となるよう折り曲げて形成されるとともに上記四方枠フレームに固定されるためのネジ穴が形成される上固定部と、上記上下連絡架橋フレーム下部の左右両側面において前面側の端部を内側に向かって上記プラズマディスプレイパネルモジュール背面と略平行となるよう折り曲げて形成されるとともに上記四方枠フレームに固定されるためのネジ穴が形成される下固定部と、上記上下連絡架橋フレームにおいて左側面を側面に対して略垂直に上方へ向かって切り起して形成される左上開き出し部と、上記上下連絡架橋フレームにおいて右側面を側面に対して略垂直に上方へ向かって切り起して形成される右上開き出し部と、上記上下連絡架橋フレームにおいて左側面を側面に対して略垂直に下方へ向かって切り起して形成される左下開き出し部と、上記上下連絡架橋フレームにおいて右側面を側面に対して略垂直に下方へ向かって切り起して形成される右下開き出し部と、上記左上開き出し部において前面側の端部を下方に向かって上記プラズマディスプレイパネルモジュール背面と略平行となるよう折り曲げて形成されるとともにネジ穴が形成される左上ネジ止め部と、上記右上開き出し部において前面側の端部を下方に向かって上記プラズマディスプレイパネルモジュール背面と略平行となるよう折り曲げて形成されるとともにネジ穴が形成される右上ネジ止め部と、上記左下開き出し部において前面側の端部を上方に向かって上記プラズマディスプレイパネルモジュール背面と略平行となるよう折り曲げて形成されるとともにネジ穴が形成される左下ネジ止め部と、上記右下開き出し部において前面側の端部を上方に向かって上記プラズマディスプレイパネルモジュール背面と略平行となるよう折り曲げて形成されるとともにネジ穴が形成される右下ネジ止め部と、左上ネジ止め部と右上ネジ止め部と左下ネジ止め部と右下ネジ止め部との下端辺において上記プラズマディスプレイパネルモジュール背面に向けて略垂直に突出して、上記上下連絡架橋フレームの位置決め、および上記上下連絡架橋フレームと上記プラズマディスプレイパネルモジュールとの間に挿入されるスペーサを保持する突起と、上記左上ネジ止め部および上記左下ネジ止め部、と、上記右上ネジ止め部および上記右下ネジ止め部、のいずれか一方の一組に形成される複数のネジ穴と、他方の一組に形成される左右方向に長い長ネジ穴とを備える構成としてある。
【０００８】
また、上記目的を達成するために、請求項２に記載のパネル型テレビジョンでは、プラズマディスプレイパネルと、上記プラズマディスプレイパネルの上下左右側面から固定されて同プラズマディスプレイパネルを支持する四方枠フレームと、金属板を幅方向にコ字型に屈曲させて形成されるとともに上記プラズマディスプレイパネルの背面側において上端と下端とを上記四方枠フレームに固定される上下連絡架橋フレームと、上記上下連絡架橋フレーム上部の左右両側面において前面側の端部を内側に向かって上記プラズマディスプレイパネル背面と略平行となるよう折り曲げて形成されるとともに上記四方枠フレームに固定されるためのネジ穴が形成される上固定部と、上記上下連絡架橋フレーム下部の左右両側面において前面側の端部を内側に向かって上記プラズマディスプレイパネル背面と略平行となるよう折り曲げて形成されるとともに上記四方枠フレームに固定されるためのネジ穴が形成される下固定部と、上記上下連絡架橋フレームにおいて左側面を側面に対して略垂直に上方へ向かって切り起して形成される左上開き出し部と、上記上下連絡架橋フレームにおいて右側面を側面に対して略垂直に上方へ向かって切り起して形成される右上開き出し部と、上記上下連絡架橋フレームにおいて左側面を側面に対して略垂直に下方へ向かって切り起して形成される左下開き出し部と、上記上下連絡架橋フレームにおいて右側面を側面に対して略垂直に下方へ向かって切り起して形成される右下開き出し部と、上記左上開き出し部において前面側の端部を下方に向かって上記プラズマディスプレイパネル背面と略平行となるよう折り曲げて形成されるとともにネジ穴が形成される左上ネジ止め部と、上記右上開き出し部において前面側の端部を下方に向かって上記プラズマディスプレイパネル背面と略平行となるよう折り曲げて形成されるとともにネジ穴が形成される右上ネジ止め部と、上記左下開き出し部において前面側の端部を上方に向かって上記プラズマディスプレイパネル背面と略平行となるよう折り曲げて形成されるとともにネジ穴が形成される左下ネジ止め部と、上記右下開き出し部において前面側の端部を上方に向かって上記プラズマディスプレイパネル背面と略平行となるよう折り曲げて形成されるとともにネジ穴が形成される右下ネジ止め部と、を備える構成としてある。
【０００９】
つまり、上記上下連絡架橋フレームは、上記左上ネジ止め部と上記右上ネジ止め部と上記左下ネジ止め部と上記右下ネジ止め部とに形成されるネジ穴により上記プラズマディスプレイパネルの背面にネジ止め固定され、上記上固定部と上記下固定部とに形成されるネジ穴にて上記四方枠フレームにネジ止め固定される。これにより、上記四方枠フレームと上記上下連絡架橋フレームとで上記プラズマディスプレイパネルを挟持して固定する。
【００１０】
そして、請求項３にかかる考案では、上記左上ネジ止め部および上記左下ネジ止め部、と、上記右上ネジ止め部および上記右下ネジ止め部、のいずれか一方の一組に形成される複数のネジ穴と、他方の一組に形成される左右方向に長い長ネジ穴とを備える構成としてある。
【００１１】
つまり、上記左上ネジ止め部および上記左下ネジ止め部に複数のネジ穴が形成されると、上記右上ネジ止め部および上記右下ネジ止め部には左右方向に長い長ネジ穴が形成され、上記右上ネジ止め部および上記右下ネジ止め部に複数のネジ穴が形成されると、上記左上ネジ止め部および上記左下ネジ止め部には左右方向に長い長ネジ穴が形成される。
【考案の効果】
【００１２】
以上説明したように本考案は、上下連絡架橋フレームに開き出し部を設け、同開き出し部の端部を折り曲げてネジ止め部を形成しため、上下連絡架橋フレームを直接ＰＤＰモジュールの背面にネジ止めすることが可能となった。これにより、部品点数を６点から２点と大幅に少なくすることができ、組み立て作業における手間を少なくすることができるとともに、取り付け上のミスを減少させることが可能となる。さらに、高価なナイロン樹脂製のスペーサを不要としたため、コストの削減が可能となり、安価なパネル型テレビジョンを提供することが可能となる。
【００１３】
また、請求項３にかかる考案によれば、上下連絡架橋フレームの左右のいずれか一方側のネジ止め部に形成されるネジ穴を複数とするとともに、他方側のネジ止め部に形成されるネジ穴を左右に長い長ネジ穴としたため、取り付け位置の異なるパネルメーカの表示パネルに対しても、同一の上下連絡架橋フレームにて取り付けを行うことが可能となる。これにより、パネルメーカ毎に専用の上下連絡架橋フレームを作成する必要が無くなり、コストダウンを図れる為、より安価なパネル型テレビジョンを提供することが可能となる。
さらに請求項１のような、より具体的な構成において、上述した請求項２および請求項３の各考案と同様の作用を奏することはいうまでもない。
【考案を実施するための最良の形態】
【００１４】
以下、下記の順序に従って本考案の実施形態を説明する。
（１）パネル型テレビジョンの構成：
（２）上下連絡架橋フレームの構造：
（３）まとめ：
【００１５】
（１）テレビジョンの概略構成：
図１は、プラズマディスプレイパネル（ＰＤＰ）モジュールを用いたパネル型テレビジョン１０を斜め前方より見た斜視図である。同図において、キャビネット２０は、横に長い略長方形であるとともに前後に薄型の筐体を構成している。このキャビネット２０は前面に略矩形の開口を有するフロントキャビネットと、背面からフロントキャビネットと合わせて取り付けられるリアキャビネットとから成る。
【００１６】
さらにパネル型テレビジョン１０全体を立設して支える左右の脚部４０がキャビネット２０内部から下方へと突き出している。キャビネット２０前面下端の左右には、図示しないスピーカから出力される音声をパネル型テレビジョン１０の前方へと出力させる為のスピーカ用穴が開いている。
【００１７】
図２はパネル型テレビジョン１０のキャビネット２０を取り外して斜め後方より見た斜視図である。同図において、ＰＤＰモジュール３０には、２本の取り付け部材３２が背面に上下に間隔を置いて略水平に取り付けられており、さらに上下左右側面から四方枠フレーム５０が取り付けられて固定されている。そして、２本の上下連絡架橋フレーム６０が、左右に間隔を置いて略垂直に取り付け部材３２にネジ止めされ、四方枠フレーム５０を補強する。
【００１８】
また、上下連絡架橋フレーム６０はその上端と下端に形成されたネジ穴にて、四方枠フレーム５０の上側部分と下側部分とにネジ止めされて固定されている。これにより、四方枠フレーム５０のＰＤＰモジュール３０の前面に張り出している段部（不図示）がＰＤＰモジュール３０を前面から支持するとともに、上下連絡架橋フレーム６０がＰＤＰモジュール３０を背面から支持することで、ＰＤＰモジュール３０を四方枠フレーム５０と上下連絡架橋フレーム６０とで固定している。
【００１９】
左右の上下連絡架橋フレーム６０の下端の折り曲げ加工された板金の内側には、コ字型フレームが取り付けられて下方へと延び、その下端に床面と面接触するように略矩形の平板が取り付けられ、これらコ字型フレームと平板とで脚部４０を構成する。脚部４０は下方へ延びてキャビネット外部に突出し、パネル型テレビジョン１０全体を支持して立設可能としている。
【００２０】
さらに、左右の上下連絡架橋フレーム６０それぞれの背面側には、壁掛け構造７１が穴として２つずつ形成されている。これら壁掛け構造７１は、パネル型テレビジョン１０を壁掛けテレビとするための壁掛けキットを取り付けるためのものである。
【００２１】
図３には、パネル型テレビジョン１０の概略構成を説明するブロック図を示す。同図において、パネル型テレビジョン１０は、本体の動作を制御するコントローラ１０ｂと、図示していないアンテナで受信されるテレビ放送信号から選択されているチャンネルのテレビ放送信号を抽出し、出力するチューナ１０ｄと、該チューナ１０ｄが出力したテレビ放送信号に基く映像をＰＤＰモジュール３０に表示する映像処理部１０ｆと、該チューナ１０ｄが出力したテレビ放送信号に基く音声をスピーカ１０ｇから出力する音声処理部１０ｈと、リモコン１０ｃから送信されてきた制御コマンドを受信するリモコン受信部１０ａとを備えている。
【００２２】
これら、コントローラ１０ｂとチューナ１０ｄと映像処理部１０ｆと音声処理部１０ｈとリモコン受信部１０ａと、は回路として主基板に実装され、ＰＤＰモジュール３０の背面に取り付けられる。
【００２３】
コントローラ１０ｂは、リモコン受信部１０ａで受信した制御コマンドに応じて、電源のオン／オフ、チャンネルの切換、音量のアップ／ダウン等を制御する。尚、パネル型テレビジョン１０の各部には、図示していない電源回路から動作電源が供給されている。この電源回路の入力は、商用電源（例えば、ＡＣ１００Ｖ）である。
【００２４】
なお、本実施形態ではプラズマディスプレイから映像を出力するプラズマテレビジョンを例に取り上げて説明するが、本考案のパネル型テレビジョンには、液晶パネルから映像を出力する液晶テレビジョン等も考えられる。
【００２５】
（２）上下連絡架橋フレームの構造：
図４に上下連絡架橋フレーム６０の斜視図を、図５に下連絡架橋フレーム６０の上面図を、そして図６に上下連絡架橋フレーム６０の側面図をそれぞれ示した。
【００２６】
上下連絡架橋フレーム６０は、長辺に対する断面が略コ字型となるように金属板を屈曲させて形成される。上下連絡架橋フレーム６０上部および下部の左右両側面には、前面側の端部を内側に向かってＰＤＰモジュール背面と略平行となるよう折り曲げて上固定部６１と下固定部６２とがそれぞれ形成される。これら上固定部６１の上端と下固定部６２の下端とにはネジ穴が形成され、四方枠フレーム５０の上部と下部とにそれぞれネジ止めされて固定される。
【００２７】
上下連絡架橋フレーム６０の左側面および右側面には、側面に対して略垂直に上方へ向かって切り起した左上開き出し部６３ａと右上開き出し部６３ｂ、および側面に対して略垂直に上方へ向かって切り起した左下開き出し部６４ａと右下開き出し部６４ｂ、が形成される。
【００２８】
左上開き出し部６３ａと右上開き出し部６３ｂとには、前面側の端部を下方に向かってＰＤＰモジュール３０背面と略平行となるよう折り曲げて、左上ネジ止め部６５ａと右上ネジ止め部６５ｂとがそれぞれ形成される。また、左下開き出し部６４ａと右下開き出し部６４ｂとには、前面側の端部を上方に向かってＰＤＰモジュール３０背面と略平行となるよう折り曲げて、左下ネジ止め部６６ａと右下ネジ止め部６６ｂとがそれぞれ形成される。
【００２９】
図４〜図６において、左上ネジ止め部６５ａと左下ネジ止め部６６ａと右上ネジ止め部６５ｂと右下ネジ止め部６６ｂとの面上には、取り付け部３２にネジ止めされるネジ穴が形成される。左上ネジ止め部６５ａに形成される複数のネジ穴６９ａと左下ネジ止め部６６ａに形成されるネジ穴７０ａとは、左右に並んだ２つのネジ穴となっている。また右上ネジ止め部６５ｂに形成される複数のネジ穴６９ｂと右下ネジ止め部６６ｂに形成される長ネジ穴７０ｂとは、左右方向に長い長ネジ穴となっている。
むろんこれらネジ穴は全て２つのネジ穴であってもよいし、全て長ネジ穴であってもよいし、２つのネジ穴と長ネジ穴とを任意に組み合わせて適用して構わない。
【００３０】
さらに、左上ネジ止め部６５ａと右上ネジ止め部６５ｂと左下ネジ止め部６６ａと右下ネジ止め部６６ｂとの下端辺には、ＰＤＰモジュール３０背面に向けて略垂直に突出して、上下連絡架橋フレーム６０の位置決め、および上下連絡架橋フレーム６０とＰＤＰモジュール３０との間に挿入されるスペーサ７２を保持するための突起が設けられている。このスペーサ７２は使用されなくとも構わない。
【００３１】
左上ネジ止め部６５ａと右上ネジ止め部６５ｂとに設けられる突起は、左上ネジ止め部６５ａと右上ネジ止め部６５ｂとの下端辺を折り曲げて形成され、左下ネジ止め部６６ａと右下ネジ止め部６６ｂとに設けられる突起は、各ネジ止め部の一部が切断されて対応する各開き出し部と連続した同一面上から延びるように形成される。
【００３２】
上下連絡架橋フレームの上下方向における中央部分は、コ字状に折り曲げられた折り曲げ部分の背面部を補強する庇状の部分を除いて、左右側面が切り取られ、左右に方向に通じる空間を形成している。これにより、ＰＤＰモジュール３０背面に取り付けられる基板などからの沿面距離が確保されるとともに、基板などをＰＤＰモジュール３０背面に取り付ける作業が容易になっている。
【００３３】
（３）まとめ：
つまり、上下連絡架橋フレーム６０に左上開き出し部６３ａと右上開き出し部６３ｂと左下開き出し部６４ａと右下開き出し部６４ｂとを設け、各開き出し部の端部を折り曲げて左上ネジ止め部６５ａと右上ネジ止め部６５ｂと左下ネジ止め部６６ａと右下ネジ止め部６６ｂとを形成して、上下連絡架橋フレーム６０を直接ＰＤＰモジュール３０の背面にネジ止め出来るようにした。
【００３４】
以上説明したように、本実施例に対応する請求項２にかかるパネル型テレビジョンでは、ラズマディスプレイパネルと、上記プラズマディスプレイパネルの上下左右側面から固定されて同プラズマディスプレイパネルを支持する四方枠フレームと、金属板を幅方向にコ字型に屈曲させて形成されるとともに上記プラズマディスプレイパネルの背面側において上端と下端とを上記四方枠フレームに固定される上下連絡架橋フレームと、上記上下連絡架橋フレーム上部の左右両側面において前面側の端部を内側に向かって上記プラズマディスプレイパネル背面と略平行となるよう折り曲げて形成されるとともに上記四方枠フレームに固定されるためのネジ穴が形成される上固定部と、上記上下連絡架橋フレーム下部の左右両側面において前面側の端部を内側に向かって上記プラズマディスプレイパネル背面と略平行となるよう折り曲げて形成されるとともに上記四方枠フレームに固定されるためのネジ穴が形成される下固定部と、上記上下連絡架橋フレームにおいて左側面を側面に対して略垂直に上方へ向かって切り起して形成される左上開き出し部と、上記上下連絡架橋フレームにおいて右側面を側面に対して略垂直に上方へ向かって切り起して形成される右上開き出し部と、上記上下連絡架橋フレームにおいて左側面を側面に対して略垂直に下方へ向かって切り起して形成される左下開き出し部と、上記上下連絡架橋フレームにおいて右側面を側面に対して略垂直に下方へ向かって切り起して形成される右下開き出し部と、上記左上開き出し部において前面側の端部を下方に向かって上記プラズマディスプレイパネル背面と略平行となるよう折り曲げて形成されるとともにネジ穴が形成される左上ネジ止め部と、上記右上開き出し部において前面側の端部を下方に向かって上記プラズマディスプレイパネル背面と略平行となるよう折り曲げて形成されるとともにネジ穴が形成される右上ネジ止め部と、上記左下開き出し部において前面側の端部を上方に向かって上記プラズマディスプレイパネル背面と略平行となるよう折り曲げて形成されるとともにネジ穴が形成される左下ネジ止め部と、上記右下開き出し部において前面側の端部を上方に向かって上記プラズマディスプレイパネル背面と略平行となるよう折り曲げて形成されるとともにネジ穴が形成される右下ネジ止め部と、を備える構成としてある。
【００３５】
つまり、上記上下連絡架橋フレームは、上記左上ネジ止め部と上記右上ネジ止め部と上記左下ネジ止め部と上記右下ネジ止め部とに形成されるネジ穴により上記プラズマディスプレイパネルの背面にネジ止め固定され、上記上固定部と上記下固定部とに形成されるネジ穴にて上記四方枠フレームにネジ止め固定される。これにより、上記四方枠フレームと上記上下連絡架橋フレームとで上記プラズマディスプレイパネルを挟持して固定する。
【００３６】
上記のように構成した請求項２に記載の考案においては、上下連絡架橋フレームに開き出し部を設け、同開き出し部の端部を折り曲げてネジ止め部を形成しため、上下連絡架橋フレームを直接ＰＤＰモジュールの背面にネジ止めすることが可能となった。これにより、部品点数を６点から２点と大幅に少なくすることができ、組み立て作業における手間を少なくすることができるとともに、取り付け上のミスを減少させることが可能となる。さらに、高価なナイロン樹脂製のスペーサを不要としたため、コストの削減が可能となり、安価なパネル型テレビジョンを提供することが可能となる。
【００３７】
そして、請求項３にかかる考案では、上記左上ネジ止め部および上記左下ネジ止め部、と、上記右上ネジ止め部および上記右下ネジ止め部、のいずれか一方の一組に形成される複数のネジ穴と、他方の一組に形成される左右方向に長い長ネジ穴とを備える構成としてある。
【００３８】
つまり、上記左上ネジ止め部および上記左下ネジ止め部に複数のネジ穴が形成されると、上記右上ネジ止め部および上記右下ネジ止め部には左右方向に長い長ネジ穴が形成され、上記右上ネジ止め部および上記右下ネジ止め部に複数のネジ穴が形成されると、上記左上ネジ止め部および上記左下ネジ止め部には左右方向に長い長ネジ穴が形成される。
【００３９】
上記のように構成した請求項３に記載の考案においては、上下連絡架橋フレームの左右のいずれか一方側のネジ止め部に形成されるネジ穴を複数とするとともに、他方側のネジ止め部に形成されるネジ穴を左右に長い長ネジ穴としたため、取り付け位置の異なるパネルメーカの表示パネルに対しても、同一の上下連絡架橋フレームにて取り付けを行うことが可能となる。これにより、パネルメーカ毎に専用の上下連絡架橋フレームを作成する必要が無くなり、コストダウンを図れる為、より安価なパネル型テレビジョンを提供することが可能となる。
【００４０】
以上の構成を踏まえた上で、請求項１の考案は、映像を画面に表示するプラズマディスプレイパネルモジュールと、音声を出力するスピーカと、テレビ放送を受信して映像を上記プラズマディスプレイパネルモジュールに表示させるとともに音声を上記スピーカにて出力させる主基板と、上記プラズマディスプレイパネルモジュールと上記スピーカと上記主基板とを収容し、略矩形状の窓部から上記プラズマディスプレイパネルモジュールの画面を前方に露出させる樹脂製のキャビネットとを備えるプラズマテレビジョンにおいて、上記プラズマディスプレイパネルモジュールに上下左右側面から固定されて同プラズマディスプレイパネルモジュールを支持するとともに上記キャビネットの前面部が前面側から被せて取り付けられる四方枠フレームと、金属板を幅方向にコ字型に屈曲させて形成されて左右に１つずつ所定の距離を置いて配置されるとともに上記プラズマディスプレイパネルモジュールの背面側において上端と下端とを上記四方枠フレームに固定され、かつ、壁掛けキットを取りつけるためのネジ穴が背面側に形成される上下連絡架橋フレームと、上記上下連絡架橋フレーム上部の左右両側面において前面側の端部を内側に向かって上記プラズマディスプレイパネルモジュール背面と略平行となるよう折り曲げて形成されるとともに上記四方枠フレームに固定されるためのネジ穴が形成される上固定部と、上記上下連絡架橋フレーム下部の左右両側面において前面側の端部を内側に向かって上記プラズマディスプレイパネルモジュール背面と略平行となるよう折り曲げて形成されるとともに上記四方枠フレームに固定されるためのネジ穴が形成される下固定部と、上記上下連絡架橋フレームにおいて左側面を側面に対して略垂直に上方へ向かって切り起して形成される左上開き出し部と、上記上下連絡架橋フレームにおいて右側面を側面に対して略垂直に上方へ向かって切り起して形成される右上開き出し部と、上記上下連絡架橋フレームにおいて左側面を側面に対して略垂直に下方へ向かって切り起して形成される左下開き出し部と、上記上下連絡架橋フレームにおいて右側面を側面に対して略垂直に下方へ向かって切り起して形成される右下開き出し部と、上記左上開き出し部において前面側の端部を下方に向かって上記プラズマディスプレイパネルモジュール背面と略平行となるよう折り曲げて形成されるとともにネジ穴が形成される左上ネジ止め部と、上記右上開き出し部において前面側の端部を下方に向かって上記プラズマディスプレイパネルモジュール背面と略平行となるよう折り曲げて形成されるとともにネジ穴が形成される右上ネジ止め部と、上記左下開き出し部において前面側の端部を上方に向かって上記プラズマディスプレイパネルモジュール背面と略平行となるよう折り曲げて形成されるとともにネジ穴が形成される左下ネジ止め部と、上記右下開き出し部において前面側の端部を上方に向かって上記プラズマディスプレイパネルモジュール背面と略平行となるよう折り曲げて形成されるとともにネジ穴が形成される右下ネジ止め部と、左上ネジ止め部と右上ネジ止め部と左下ネジ止め部と右下ネジ止め部との下端辺において上記プラズマディスプレイパネルモジュール背面に向けて略垂直に突出して、上記上下連絡架橋フレームの位置決め、および上記上下連絡架橋フレームと上記プラズマディスプレイパネルモジュールとの間に挿入されるスペーサを保持する突起と、上記左上ネジ止め部および上記左下ネジ止め部、と、上記右上ネジ止め部および上記右下ネジ止め部、のいずれか一方の一組に形成される複数のネジ穴と、他方の一組に形成される左右方向に長い長ネジ穴とを備える構成としてある。
【００４１】
なお、本考案は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本考案の一実施例として開示されるものである。
【図面の簡単な説明】
【００４２】
【図１】本考案の実施例にかかるパネル型テレビジョンを前方より見た斜視図である。
【図２】本考案の実施例にかかるパネル型テレビジョンのキャビネットを外して後方より見た斜視図である。
【図３】本考案の実施例にかかるパネル型テレビジョンの概略構成を示すブロック図である。
【図４】上下連絡架橋フレームの斜視図である。
【図５】上下連絡架橋フレームの上面図である。
【図６】上下連絡架橋フレームの側面図である。
【図７】従来のプラズマテレビジョンを説明する部分斜視図である。
【符号の説明】
【００４３】
１０…パネル型テレビジョン（プラズマテレビジョン）
２０…キャビネット
３０…プラズマディスプレイパネル（ＰＤＰ）モジュール
３２…取り付け部材
４０…脚部
５０…四方枠フレーム
６０…上下連絡架橋フレーム
６１…上固定部
６２…下固定部
６３ａ…左上開き出し部
６３ｂ…右上開き出し部
６４ａ…左下開き出し部
６４ｂ…右下開き出し部
６５ａ…左上ネジ止め部
６５ｂ…右上ネジ止め部
６６ａ…左下ネジ止め部
６６ｂ…右下ネジ止め部
６７ａ…突起
６７ｂ…突起
６８ａ…突起
６８ｂ…突起
６９ａ…複数のネジ穴
６９ｂ…複数のネジ穴
７０ａ…長ネジ穴
７０ｂ…長ネジ穴
７１…壁掛け構造
７２…スペーサ
９０…ＰＤＰモジュール
９１…取り付け部材
９２…スペーサ
９３…従来の上下連絡架橋フレーム
【図１】
0003118275.tif 000003
【図２】
0003118275.tif 000004
【図３】
0003118275.tif 000005
【図４】
0003118275.tif 000006
【図５】
0003118275.tif 000007
【図６】
0003118275.tif 000008
【図７】
0003118275.tif 000009